(57)【要約】      （修正有）【課題】安全性を更に高めた送風装置を提供する。【解決手段】空気吸込口２０１と空気吹出口を備えた本体ケースと、空気吸込口２０１と空気吹出口とを連通する風路に設けられた高圧空気発生装置と、空気吸込口２０１に着脱自在に設けたフィルター部４０６と、本体ケースから延びた電源線４００とを備え、電源線４００は、一方側先端に本体側プラグ部４０２を有し、本体ケースには、高圧空気発生装置と電気的に接続されたプラグ装着部４０４を備え、電源線４００は、フィルター部４０６に設けた孔部４０５を介してプラグ装着部４０４に本体側プラグ部４０２が装着され、フィルター部４０６を空気吸込口２０１から外れる方向へ移動させようとすると、孔部４０５の周縁部が本体側プラグ部４０２に当たることを特徴し、これにより、安全性を更に高めることができる。【選択図】図６
2016183589.tif 000002
【特許請求の範囲】
【請求項１】
空気吸込口と空気吹出口を備えた本体ケースと、前記空気吸込口と前記空気吹出口とを連通する風路に設けられた高圧空気発生装置と、前記空気吸込口に着脱自在に設けたフィルター部と、前記本体ケースから延びた電源線とを備え、前記電源線は、一方側先端に本体側プラグ部を有し、前記本体ケースには、前記高圧空気発生装置と電気的に接続されたプラグ装着部を備え、前記電源線は、前記フィルター部に設けた孔部を介して前記プラグ装着部に前記本体側プラグ部が装着され、前記フィルター部を前記空気吸込口から外れる方向へ移動させようとすると、前記孔部の周縁部が前記本体側プラグ部に当たることを特徴とする送風装置。
【請求項２】
前記空気吸込口から前記フィルター部が外れる方向が、前記プラグ装着部から前記本体側プラグ部が延びる方向と異なることを特徴とする請求項１に記載の送風装置。
【請求項３】
前記フィルター部は、前記本体ケースから前記フィルター部を着脱するための着脱部と、前記着脱部を操作する着脱操作部とを備え、前記着脱操作部を移動させながら、前記フィルター部を前記本体ケースから移動させ、前記着脱部が外れるまでの移動距離は、前記フィルター部の前記孔部と前記本体側プラグ部との隙間より大きいことを特徴とする請求項１または２に記載の送風装置。
【請求項４】
前記フィルター部は、曲面形状で、前記本体ケースにおける内方に凹んだ凹部を有し、前記凹部は、断面形状が直角をなす第１の凹面と第２の凹面とを備え、前記第１の凹面は、上下方向に延びた面で、前記孔部を設け、前記第２の凹面には、記着脱部と前記着脱操作部とを備えたことを特徴とする請求項３に記載の送風装置。
【請求項５】
前記フィルター部は、曲面形状で、前記本体側プラグ部は、Ｌ字形状であり、前記プラグ装着部に回動自在に装着され、前記凹部内に入り込むことを特徴とする請求項１から４のいずれかに記載の送風装置。
【発明の詳細な説明】
【技術分野】
【０００１】
本発明は、例えば、送風により清涼感を与えたり空間内の空気循環を促したりする送風装置に関するものである。
【背景技術】
【０００２】
従来の送風装置は、扇風機の保護ガードの後側で扇風機に風が入ってくる部分に、保護ガードに着脱自在にフィルター部を備えていた。ファイルター部の掃除を行う場合には、操作部によって、扇風機の運転を停止した後で、保護ガードからファイルター部を外して掃除を行うものであった。（例えば特許文献１参照）。
【先行技術文献】
【特許文献】
【０００３】
【特許文献１】特開平１１−１５９４９９号公報
【発明の概要】
【発明が解決しようとする課題】
【０００４】
このような従来の送風装置における課題は、安全性を更に高めることであった。
【０００５】
すなわち、従来の物においては、ファイルター部の掃除を行う場合には、操作部によって、扇風機の運転を停止した後で、保護ガードからファイルター部を外して掃除を行うものであった。しかし、扇風機を運転した状態でも、保護ガードからファイルター部を外せるので、扇風機の運転を停止するのを忘れ、運転状態で掃除する場合があった。
【０００６】
そこで本発明は、ファイルター部の清掃時における安全性を更に高めることを目的とする。
【課題を解決するための手段】
【０００７】
上述の目的を達成するために、本発明は、空気吸込口と空気吹出口を備えた本体ケースと、前記空気吸込口と前記空気吹出口とを連通する風路に設けられた高圧空気発生装置と、前記空気吸込口に着脱自在に設けたフィルター部と、前記本体ケースから延びた電源線とを備え、前記電源線は、一方側先端に本体側プラグ部を有し、前記本体ケースには、前記高圧空気発生装置と電気的に接続されたプラグ装着部を備え、前記電源線は、前記フィルター部に設けた孔部を介して前記プラグ装着部に前記本体側プラグ部が装着され、前記フィルター部を前記空気吸込口から外れる方向へ移動させようとすると、前記孔部の周縁部が前記本体側プラグ部に当たることを特徴し、これにより所期の目的を達成するものである。
【発明の効果】
【０００８】
本発明に係る送風装置によれば、空気吸込口と空気吹出口を備えた本体ケースと、前記空気吸込口と前記空気吹出口とを連通する風路に設けられた高圧空気発生装置と、前記空気吸込口に着脱自在に設けたフィルター部と、前記本体ケースから延びた電源線とを備え、前記電源線は、一方側先端に本体側プラグ部を有し、前記本体ケースには、前記高圧空気発生装置と電気的に接続されたプラグ装着部を備え、前記電源線は、前記フィルター部に設けた孔部を介して前記プラグ装着部に前記本体側プラグ部が装着され、前記フィルター部を前記空気吸込口から外れる方向へ移動させようとすると、前記孔部の周縁部が前記本体側プラグ部に当たることを特徴し、これにより、安全性を更に高めることができる。
【０００９】
すなわち、プラグ部が、フィルター部に設けた孔部を介して、プラグ装着部に装着され、フィルター部を空気吸込口から外れる方向へ移動させようとすると、孔部の周縁部が本体側プラグ部に当たるので、本体ケースからフィルター部を取り外すことができない。つまり、本体ケースからフィルター部を取り外して掃除する場合には、プラグ装着部からプラグ部を外さないと、本体ケースからフィルター部を取り外せないので、結果として、プラグ装着部からプラグ部を外すことになり、高圧空気発生装置が必ず停止する。これにより、ファイルター部の清掃時における安全性を更に高めることができる。
【図面の簡単な説明】
【００１０】
【図１】本発明の実施の形態１に係る送風装置の外観図
【図２】同送風装置の分解側面図
【図３】同送風装置の断面図
【図４】同送風装置の第一フレーム及び第一風路部材を送風側極から見た上面図
【図５】同送風装置の斜視図
【図６】同送風装置の展開図
【図７】同送風装置の空気吸込口とフィルタカバー部分を示す図
【図８】同送風装置のフィルタカバー部分の拡大断面図
【図９】同送風装置の斜視図
【発明を実施するための形態】
【００１１】
（実施の形態１）
以下、添付図面を参照して、本発明の実施の形態につき説明し、本発明の理解に供する。
【００１２】
なお、以下の実施の形態は、本発明を具体化した一例であって、本発明の技術的範囲を限定する性格のものではない。また、全図面を通して、同一の部位については同一の番号を付している。さらに、各図面において、本発明に直接には関係しない各部の詳細については説明を省略している。
【００１３】
以下、本発明の実施の形態１に係る送風装置について説明する。
【００１４】
図１は、本発明の実施の形態１に係る送風装置の外観図である。
【００１５】
図１に示すように本体ケース１は、略球体形状をなしており、球体の中心を仮想的に貫通する中心軸２を軸中心としている。
【００１６】
中心軸２は球体の送風側極３と、送風側極３に対向する吸込側極４とでそれぞれ点接している。なお、ここでいう略球体形状とは、一見して球体をなしているという意味であり、後述する開口部などにより一部球体表面の凹凸などで真球にならない点を考慮した表現である。つまり、真球とならない場合であっても一見して球体を成している場合には略球体形状に含まれる。
【００１７】
また、本体ケース１は、球体の両極（送風側極３、吸込側極４）と等距離の位置にて、中心軸２と垂直な切断面５で、略半球体状の第一フレーム６と、同じく略半球体状の第二フレーム７とに２等分されている。
【００１８】
第一フレーム６は、送風側極３を備え、中空形状を成しており、すなわち半球面構造を成す。また、第一フレーム６には、中心軸２に垂直な面で構成される円形の開口部９が送風側極３近傍に設けられている。なお、ここでいう近傍とは、厳密には送風側極３は球の周上にあるため、開口部９が属する平面上とは一致しないことによる表現である。従って、特に開口部９が送風側極３を含んでいるという表現としても差し支えない。さらに、第一フレーム６は、送風側極３を中心として中心軸２の周方向に等間隔に設けられた誘引空気吸込口８を複数個（本実施の形態１では６個）備えている。
【００１９】
誘引空気吸込口８は、同一径の円形を成しており、各円の中心は中心軸２を中心とした同一周上（中心軸２に垂直である同一断面上）に位置している。ただし、隣接する誘引空気吸込口８とは接触しておらず、すなわちそれぞれ独立することにより、内部空間に後述する複数の送風路を確保している。
【００２０】
開口部９は、その内部に誘引空気吸込口８と連通する誘引空気吹出口１０を備えているが、詳細は後述する。
【００２１】
第二フレーム７は、吸込側極４を備え、中空形状を成しており、吸込側極４の周囲に後述する空気吸込口を備えている。空気吸込口には、着脱自在にフィルター部４０６を備えている。第二フレーム７は、空気吸込口にフィルター部４０６を設けると、半球面構造を成す。
【００２２】
図２は、本発明の実施の形態１に係る送風装置の分解側面図である。
【００２３】
図２に示すように、送風装置は、前述の第一フレーム６と第二フレーム７とフィルター部４０６とで構成される略球体の本体の中空空間（内部）に、第一風路部材２０４、配置用空間２１６、第二風路部材２１２が第一フレーム６よりこの順で配置されており、この構成で送風装置用筐体を構成している。また、配置用空間２１６内に、高圧空気発生装置２１１を備えることで、送風装置として機能する。
【００２４】
第一風路部材２０４は、中心軸２に対して垂直の円形断面である誘引空気吹出口１０を備えた上部部材２０２と、当該上部部材２０２との間で中空状の内部空間を形成する下部部材２０３とで形成されている。また、下部部材２０３の壁面外側には、吸込側極４に向けて中心軸２と平行に、複数の支持部２１３（本実施の形態１では６個）が突設されている。ここで突設とは、突き出した状態で設けられていることをいう。
【００２５】
第二風路部材２１２には、前記複数の支持部２１３に対応する複数の当接部２１４（支持部と同数、本実施の形態では６個）が備えられている。また、当接部２１４は、第二風路部材２１２の送風側極３に向けて中心軸２と平行に突設されている。前記支持部２１３の先端部と当接部２１４の先端部とが当接することで、第一風路部材２０４と第二風路部材２１２との間で配置用空間２１６が形成される。ここでいう当接とは、突き当たった状態で接触することをいう。さらに、第二風路部材２１２には、吸込側極４に向けて中心軸２と平行に、中心軸２を中心とした円筒状の係合部２１５が突設されている。
【００２６】
第二フレーム７には、吸込側極４を中心としてその近傍に、空気吸込口２０１を備えている。空気吸込口２０１には、着脱自在にフィルター部４０６を備え、このフィルター部４０６には、多数のパンチング孔が設けられている。外部の空気は、フィルター部４０６を介して略球体状の本体内部に吸引されるが、その仕組みについての詳細は後述する。
【００２７】
高圧空気発生装置２１１は、モータ２０６、基盤カバー２０７、基盤２０８、モータカバー２０９、羽根２１０により構成されている。また、高圧空気発生装置２１１は、前述の第一風路部材２０４に固定された、ゴムを素材とした弾性体からなる固定部２０５に固定することにより、前記配置用空間２１６内にて第一風路部材２０４の外壁側に固定される。
【００２８】
続いて、図３及び図４を用いて、送風装置における空気の流れを説明する。図３は、図２にて示した第一フレーム６、第一風路部材２０４、高圧空気発生装置２１１、第二風路部材２１２、第二フレーム７をこの順で配置することにより構成された送風装置を、中心軸２を含む平面で切断した際の断面図である。また、図４は、第一フレーム６及び第一風路部材２０４を、送風側極３側より見た上面図である。なお、各部材の構造及び取り付け手順詳細については別途後述する。
【００２９】
図３において、送風側極３と吸込側極４とから等距離にある球の中心３０１近傍にモータ２０６が配置されており、当該モータ２０６の回転軸を回転させることにより、このモータ２０６の回転軸に接続された羽根２１０が中心軸２を軸に回転する。なお、このモータ２０６の動力源は、本体外部から引き込まれた導線（図示しない）より供給される電気、又は内蔵する電池から得られる電気等が該当する。
【００３０】
羽根２１０が回転すると、フィルター部４０６より本体外からの空気が吸引される（送風経路３０３を参照）。吸引された空気は、第一フレーム６の空気吸込口２０１を介して、オリフィスとしての機能を備えた第二風路部材２１２の、空気吸込口２０１側の開口部（空気吸込口側開口部３０２）を経て、配置用空間２１６内の羽根２１０内部（中心部）に流入する。流入した空気は、羽根２１０の送風構造に基づいてその中心軸２から外周方向に向きを変えて排出され、すなわち送風路としても機能する配置用空間２１６の円周外側方向に押し出される。
【００３１】
前記押し出された空気は、その押圧により、第一風路部材２０４の外壁（壁面外部）と第一フレーム６の内壁とで構成される送風路３０４を通過して開口部９に導かれる。ここで開口部９は、図４に示されるように、送風側極３を中心とした円形を成しており、前記第一風路部材２０４に備えられた誘引空気吹出口１０とその中心を同一に構成されている。また、誘引空気吹出口１０を構成する平面と開口部９を構成する平面とは略同一平面を構成している。ここで略同一平面とは、開口部９を構成する平面が誘引空気吹出口１０を構成する平面に比して球の中心３０１より例えば数ミリの誤差で、遠方にあり又は近接している状態を含むことを意味する。そして、開口部９の径は、誘引空気吹出口１０の径よりも大きく設計されており、開口部９と誘引空気吹出口１０の外壁との間の空間がすなわち前記送風路３０４に連通する円環状の空気吹出口３０７を構成している。結果として、空気吸込口２０１より吸引された空気は、羽根２１０の作用により、空気吹出口３０７から中心軸２と平行方向かつ中心３０１より遠ざかる方向に、環状の気流となって吹き出される。
【００３２】
すなわち、本体ケース１は、空気吹出口３０７と空気吸込口とを備え、空気吸込口には、フィルター部４０６を設けている。空気吸込口と空気吹出口３０７とを連通する風路に高圧空気発生装置２１１を設けている。高圧空気発生装置２１１は、フィルター部４０６から吸い込んだ空気を、空気吸込口２０１を介して、高圧空気発生装置２１１内へ吸い込み、空気吹出口３０７へ送風する。
【００３３】
空気吹出口３０７より吹き出された環状の気流は、誘引効果によってその環状の内部の空気、すなわち誘引空気吹出口１０近傍の空気を同一方向に誘引する。この際、誘引空気吹出口１０に連通する複数の誘引空気吸込口８から空気が誘引され（送風経路３０６を参照）、誘引空気混合部３０５にて混合されて誘引空気吹出口１０に順次送り込まれる。
【００３４】
上述した、環状の気流と誘引空気とが開口部９付近で合成され、発散の少ないスポット風として、中心軸２方向より排出されるのである。
【００３５】
以上が本実施の形態１に係る送風装置の構成及び動作の概略である。
【００３６】
図５は、送風装置の斜視図で、本体ケースに電源線を装着した図である。図６は、送風装置の展開図である。図５、６に示すように、送風装置は、本体ケース１の下部である第二フレーム７から延びた電源線４００を備えている。電源線４００は、電線部分４０１と、電線部分４０１の一方側先端に設けた本体側プラグ部４０２と、電線部分４０１の他方側先端に設けたコンセント側プラグ部（図示せず）とを備えている。
【００３７】
電線部分４０１は、表面に絶縁被覆部４０３と、内部に銅線部を備えている。
【００３８】
送風装置は、本体ケース１の下部に、本体側プラグ部４０２が装着可能なプラグ装着部４０４を、設けている。プラグ装着部４０４は、電気的に高圧空気発生装置２１１と接続されている。
【００３９】
電源線４００は、一方側先端の本体側プラグ部４０２がプラグ装着部４０４に装着され、他方側先端のコンセント側プラグ部（図示せず）が、室内のコンセントに接続される。
【００４０】
本実施形態における特徴は、電源線４００の本体側プラグ部４０２が、フィルター部４０６に設けた孔部４０５を介してプラグ装着部４０４に装着される点である。フィルター部４０６が、空気吸込口２０１に装着された状態で、本体側プラグ部４０２が、プラグ装着部４０４に装着されると、本体側プラグ部４０２は、フィルター部４０６の孔部４０５に挿入された状態となる。ここで、本体側プラグ部４０２が、フィルター部４０６に設けた孔部４０５を介して、プラグ装着部４０４に装着された状態で、フィルター部４０６を空気吸込口２０１から外れる方向へ移動させようとすると、孔部４０５の周縁部が本体側プラグ部４０２に当たるので、本体ケース１からフィルター部４０６を取り外すことができない。つまり、本体ケース１からフィルター部４０６を取り外して掃除する場合には、プラグ装着部４０４から本体側プラグ部４０２を外さないと、本体ケース１からフィルター部４０６を取り外せないので、結果として、本体側プラグ部４０２をプラグ装着部４０４から外すことになり、高圧空気発生装置２１１が必ず停止する。これにより、ファイルター部の清掃時における安全性を更に高めることができる。
【００４１】
空気吸込口２０１からフィルター部４０６が外れる方向は、プラグ装着部４０４から本体側プラグ部４０２が延びる方向と異なるものである。フィルター部４０６は、第二フレーム７における吸込側極４を中心として、その近傍に配置されている。フィルター部４０６は、本体ケース１における中心軸方向に着脱自在である。一方、本体側プラグ部４０２は、本体ケース１における中心軸に対して直角方向に着脱自在である。
【００４２】
これにより、フィルター部４０６を本体ケース１の中心軸方向における下方向へ移動させると、孔部４０５の周縁部が本体側プラグ部４０２に当たり、本体ケース１からフィルター部４０６を取り外すことができない。つまり、本体ケース１からフィルター部４０６を取り外して掃除する場合には、プラグ装着部４０４から本体側プラグ部４０２を外さないと、本体ケース１からフィルター部４０６を取り外せないので、結果として、プラグ装着部４０４から本体側プラグ部４０２を外すことになり、高圧空気発生装置２１１が必ず停止する。また、仮に、本体側プラグ部４０２が、孔部４０５の周縁部に当たった状態で、そこから更に、フィルター部４０６を本体ケース１の中心軸方向における下方向へ移動させようとしても、本体側プラグ部４０２は、本体ケース１における中心軸に対して直角方向で外方へ移動させないと抜けないので、本体ケース１からフィルター部４０６を取り外すことができない。
【００４３】
フィルター部４０６は、フィルター部分４０７とフィルタカバー部分４０８とを備えている。フィルター部分４０７は、メッシュの網４０９に樹脂枠４１０を設けた形状である。樹脂枠４１０が、本体ケース１の下部である第二フレーム７の空気吸込口２０１に着脱自在である。フィルター部分４０７は、空気吸込口２０１を覆うように装着される。フィルタカバー部分４０８には、多数のパンチング孔が設けられている。なお、フィルター部分４０７とフィルタカバー部分４０８とは一体でもよい。
【００４４】
図７は、送風装置の空気吸込口とフィルタカバー部分を示す図である。図８は、送風装置のフィルタカバー部分の拡大断面図である。図８は、着脱部４１２と、着脱操作部４１９と、凹部４２１とを示している。
【００４５】
フィルター部４０６であるフィルタカバー部分４０８は、上部が開口した略椀形状で、本体ケース１にフィルター部４０６であるフィルタカバー部分４０８を引っ掛ける引掛部４１１と、本体ケースである第二フレーム７からフィルター部であるフィルタカバー部分を着脱するための着脱部４１２と、着脱部４１２を操作する着脱操作部４１９とを備えている。
【００４６】
引掛部４１１は、フィルタカバー部分４０８から延びた引掛支持部分４１４と、この引掛支持部分４１４の先端に設けた引掛部分４１５とを備えている。引掛部分４１５が、本体ケース１である第二フレーム７の引掛受部分４１６に引っ掛かる。
【００４７】
着脱部４１２は、フィルター部４０６であるフィルタカバー部分４０８から延びたバネ性を有する爪支持部分４１７と、この爪支持部分４１７に設けた爪部分４１８とを備えている。爪支持部分４１７の先端には、着脱操作部４１９を備えている。爪部分４１８が、本体ケース１である第二フレーム７の爪受部分４２０に引っ掛かる。
【００４８】
以上の構成において、フィルタカバー部分の着脱方法について説明する。空気吸込口２０１に、フィルタカバー部分４０８を取り付ける場合には、まず、第二フレーム７の引掛受部分４１６に、フィルタカバー部分４０８の引掛部分４１５を引っ掛ける。次に、着脱操作部４１９を操作し、爪支持部分４１７を内方へ撓ませながら本体ケース１の中心軸方向における上方向へ移動させ、爪部分４１８を本体ケース１の爪受部分４２０にあわせる。最後に、爪部分４１８を爪受部分４２０にあわせた状態で、爪支持部分４１７の撓みを戻し、爪受部分４２０に爪部分４１８を嵌める。
【００４９】
一方、フィルタカバー部分４０８を空気吸込口２０１から外す場合には、まず、着脱操作部４１９を操作し、爪支持部分４１７を内方へ撓ませながら、本体ケース１の爪受部分４２０から爪部分４１８を外す。次に、爪支持部分４１７を撓ませた状態で、フィルタカバー部分４０８を本体ケース１の中心軸方向における下方向へ移動させ、爪部分４１８と爪受部分４２０との位置を上下方向へ離し、爪支持部分４１７の撓みを戻しても、爪部分４１８が爪受部分４２０に嵌まらないようにする。最後に、更に、フィルタカバー部分４０８を本体ケース１の中心軸方向における下方向へ移動させ、第二フレーム７の引掛受部分４１６からフィルタカバー部分４０８の引掛部分４１５を外す。
【００５０】
このように、本体ケース１からフィルター部４０６を外す場合には、着脱操作部４１９を移動させながら、フィルター部４０６を本体ケース１から本体ケース１の中心軸方向における下方向へ移動させる。ここで、着脱部４１２が外れるまでの移動距離は、フィルター部４０６の孔部４０５と本体側プラグ部４０２との隙間より大きい。
【００５１】
これにより、フィルタカバー部分４０８を、フィルター部４０６の孔部４０５と本体側プラグ部４０２との隙間の距離を移動させても、着脱部４１２が外れないので、本体ケース１からフィルター部４０６を取り外すことができない。
【００５２】
なお、上記におけるフィルター部４０６の着脱部４１２が外れるまでの移動距離とは、着脱操作部４１９を操作し、爪支持部分４１７を撓ませながら、爪部分４１８を本体ケース１の爪受部分４２０から外し、爪支持部分４１７を撓ませた状態で、フィルタカバー部分４０８を本体ケース１の中心軸方向における下方向へ移動させ、爪部分４１８と爪受部分４２０との位置を上下方向へ離し、爪支持部分４１７の撓みを戻しても、爪部分４１８が爪受部分４２０に嵌まらないところまで、フィルター部４０６のフィルタカバー部分４０８が移動する距離である。
【００５３】
これにより、爪支持部分４１７を撓ませた状態で、本体ケース１の中心軸方向における下方向へフィルタカバー部分４０８を移動させ、フィルター部４０６の孔部４０５の周縁部と本体側プラグ部４０２とが接触するまで爪部分４１８と爪受部分４２０との位置を上下方向へ離しても、爪支持部分４１７の撓みを戻すと、爪部分４１８が爪受部分４２０に嵌まるものである。
【００５４】
また、フィルター部４０６は、曲面形状で、本体ケース１における内方に凹んだ凹部４２１を有している。凹部４２１は、断面形状が直角をなす第１の凹面４２２と第２の凹面４２３とを備えている。第１の凹面４２２は、上下方向に延びた面、つまり本体ケース１の中心軸方向に対して直角方向と対向しており、この第１の凹面４２２には、孔部４０５を備えている。第２の凹面４２３は、本体ケース１の中心軸方向における下方向を向いた水平面であり、この第２の凹面４２３には、着脱部４１２と着脱操作部４１９とを備えている。これにより、フィルター部４０６は、曲面形状ではあるが、本体側プラグ部４０２を水平方向に挿入できる。
【００５５】
図９は、送風装置の斜視図で、本体側プラグ部４０２がプラグ装着部４０４から水平方向に延びた状態を示す図である。フィルター部４０６は、曲面形状である。本体側プラグ部４０２は、Ｌ字形状であり、プラグ装着部４０４に回動自在に装着される。これにより、本体側プラグ部４０２は、凹部４２１内に入り込むことが可能となる。具体的には、本体ケース１が略球体形状であるので、机の上に直接置くと転がる場合がある。このときに、本体側プラグ部４０２は、プラグ装着部４０４に対して回動自在であるため、図５に示すように、本体側プラグ部４０２から本体側プラグ部４０２が下方向に延びた状態から、図８に示すように、プラグ装着部４０４から本体側プラグ部４０２が水平方向に延びた状態に回動し、凹部４２１内に入り込む。これにより、本体ケース１が転がった場合に、本体側プラグ部４０２と本体側プラグ部４０２に、送風装置の自重が掛かることを防ぐことができる。
【産業上の利用可能性】
【００５６】
送風により清涼感を与えたり空間内の空気循環を促したりする送風装置として有用である。
【符号の説明】
【００５７】
１  本体ケース
２  中心軸
３  送風側極
４  吸込側極
５  切断面
６  第一フレーム
７  第二フレーム
８  誘引空気吸込口
９  開口部
１０  誘引空気吹出口
２０１  空気吸込口
２０４  第一風路部材
２１１  高圧空気発生装置
２１２  第二風路部材
２１３  支持部
２１４  当接部
２１５  係合部
２１６  配置用空間
３０５  誘引空気混合部
３０７  空気吹出口
４００  電源線
４０１  電線部分
４０２  本体側プラグ部
４０３  絶縁被覆部
４０４  プラグ装着部
４０５  孔部
４０６  フィルター部
４０７  フィルター部分
４０８  フィルタカバー部分
４０９  網
４１０  樹脂枠
４１１  引掛部
４１２  着脱部
４１４  引掛支持部分
４１５  引掛部分
４１６  引掛受部分
４１７  爪支持部分
４１８  爪部分
４１９  着脱操作部
４２０  爪受部分
４２１  凹部
４２２  第１の凹面
４２３  第２の凹面
【図１】
2016183589.tif 000003
【図２】
2016183589.tif 000004
【図３】
2016183589.tif 000005
【図４】
2016183589.tif 000006
【図５】
2016183589.tif 000007
【図６】
2016183589.tif 000008
【図７】
2016183589.tif 000009
【図８】
2016183589.tif 000010
【図９】
2016183589.tif 000011